(57)【特許請求の範囲】
【請求項１】
通信端末装置の通話を確立するための移動通信システムにおいて、
通信端末装置が発着信する電波を中継する基地局装置を備え、
音楽データを前記基地局装置を通じてダウンロードしながら音楽を再生している前記通信端末装置に対して発呼があった場合、
前記基地局装置は、前記通信端末装置に着呼信号を送信するとともに、前記通信端末装置に最も近い場所に位置する表示部に所定の情報を表示させ、
前記通信端末装置は、前記基地局装置から前記着呼信号を受信しても、着信を報知する動作を行わない
ことを特徴とする移動通信システム。
【請求項２】
通信端末装置の通話を確立するための移動通信システムにおいて、
通信端末装置が発着信する電波を中継する基地局装置を備え、
音楽データを前記基地局装置を通じてダウンロードしながら音楽を再生している前記通信端末装置に対して発呼があった場合、
前記基地局装置は、前記通信端末装置に着信信号を送信する動作を行わずに、発呼した端末と音声記憶装置とを回線接続し、前記通信端末装置による前記音楽の再生が終了したかを検知し、音楽の再生が終了した後、前記通話端末装置に録音メッセージがある旨を表示させる
ことを特徴とする移動通信システム。
【請求項３】
通信端末装置が発着信する電波を中継する基地局装置を通じて通信端末装置が音楽データをダウンロードしながら音楽を再生する音楽再生方法において、
音楽を再生している前記通信端末装置に対して発呼があった場合、
前記基地局装置は、前記通信端末装置に着呼信号を送信するとともに、前記通信端末装置に最も近い場所に位置する表示部に所定の情報を表示させ、
前記通信端末装置は、前記基地局装置から前記着呼信号を受信しても、着信を報知する動作を行わない
ことを特徴とする音楽再生方法。
【請求項４】
通信端末装置が発着信する電波を中継する基地局装置を通じて通信端末装置が音楽データをダウンロードしながら音楽を再生する音楽再生方法において、
音楽を再生している前記通信端末装置に対して発呼があった場合、
前記基地局装置は、前記通信端末装置に着信信号を送信する動作を行わずに、発呼した端末と音声記憶装置とを回線接続し、前記通信端末装置による前記音楽の再生が終了したかを検知し、音楽の再生が終了した後、前記通話端末装置に録音メッセージがある旨を表示させる
ことを特徴とする音楽再生方法。
【発明の詳細な説明】
【０００１】
【発明の属する技術分野】
本発明は、携帯電話機、ＰＨＳ(Personal Handy Phone)、ＰＤＡ(Personal Digital Assistants)等の通信端末装置の通話を確立する移動通信システム、および、通信端末装置による音楽再生方法に関するものである。
【０００２】
【従来の技術】
ＰＨＳ等の通信端末装置の通話を可能とする移動通信システムには、近年、単なる通話器としての機能以外に様々な機能が付加されつつある。そのうちの一つとして、例えば音楽再生機能がある。これは、例えばインターネット等を通じて音楽データを受信しながらＰＨＳ等で再生することで、ＰＨＳを音楽再生器として機能させるものである。
【０００３】
【発明が解決しようとする課題】
しかしながら、通信端末装置での音楽再生を可能とした上記従来の移動通信システムには、次のような問題があった。すなわち、音楽再生時にＰＨＳ等に対して発呼があった場合、再生中の音楽を一旦停止して呼出音を鳴らすことで着信を報知するという手法が考えられるが、この手法によると、曲が途中で途切れて煩わしいという問題があった。また、音楽を一時停止させる場合に限られず、音楽データをダウンロードしているＰＨＳ等に他の作業をさせることは、ＰＨＳ等に余計な負担を強いることになってしまう。
【０００４】
本発明は、上記問題を解決するためになされたものであり、音楽再生中の通信端末装置に負担をかけることなく、受信側のユーザに発呼があったことを報知できる移動通信システム及び音楽再生方法を提供することを目的とする。
【０００５】
【課題を解決するための手段】
上記目的を達成するために、本発明は、通信端末装置の通話を確立するための移動通信システムにおいて、通信端末装置が発着信する電波を中継する基地局装置を備え、音楽データを前記基地局装置を通じてダウンロードしながら音楽を再生している前記通信端末装置に対して発呼があった場合、前記基地局装置は、前記通信端末装置に着呼信号を送信するとともに、前記通信端末装置に最も近い場所に位置する表示部に所定の情報を表示させ、前記通信端末装置は、前記基地局装置から前記着呼信号を受信しても、着信を報知する動作を行わないことを特徴とする。
【０００６】
本発明の移動通信システムでは、音楽データをダウンロードして再生している通信端末装置に発呼があった場合に、音楽データのダウンロード中であることを把握した基地局装置が、例えば電光掲示板等の表示部に所定の情報を表示させる。そして、この表示部の情報を見た通信端末装置のユーザは、自分に対して発呼があったことを把握することができる。また、表示部に所定の情報を表示させるに際しては、通信端末装置は動作せずに基地局装置のみが動作しているため、通信端末装置には負担がかからない。
【０００７】
また、本発明の他の移動通信システムは、通信端末装置の通話を確立するための移動通信システムにおいて、通信端末装置が発着信する電波を中継する基地局装置を備え、音楽データを前記基地局装置を通じてダウンロードしながら音楽を再生している前記通信端末装置に対して発呼があった場合、前記基地局装置は、前記通信端末装置に着信信号を送信する動作を行わずに、発呼した端末と音声記憶装置とを回線接続し、前記通信端末装置による前記音楽の再生が終了したかを検知し、音楽の再生が終了した後、前記通話端末装置に録音メッセージがある旨を表示させることを特徴とする。
【０００８】
本発明の移動通信システムでは、音楽データをダウンロードして再生している通信端末装置に発呼があった場合に、音楽データのダウンロード中であることを把握した基地局装置が、発呼した端末と留守番電話サービスセンタ等の音声記憶装置とを回線接続する。そして、音声記憶装置に録音されたメッセージを聞くことで、発呼された通信端末装置のユーザは自分に対して発呼があったことを把握することができる。また、発呼した端末と音声記憶装置とを回線接続するに際しては、通信端末装置は動作せずに基地局装置のみが動作しているため、通信端末装置には負担がかからない。
【０００９】
また、本発明の音楽再生方法は、通信端末装置が発着信する電波を中継する基地局装置を通じて通信端末装置が音楽データをダウンロードしながら音楽を再生する音楽再生方法において、音楽を再生している前記通信端末装置に対して発呼があった場合、前記基地局装置は、前記通信端末装置に着呼信号を送信するとともに、前記通信端末装置に最も近い場所に位置する表示部に所定の情報を表示させ、前記通信端末装置は、前記基地局装置から前記着呼信号を受信しても、着信を報知する動作を行わないことを特徴とする。
【００１０】
本発明の音楽再生方法によれば、音楽データをダウンロードして再生している通信端末装置に発呼があった場合に、音楽データのダウンロード中であることを把握した基地局装置が、例えば電光掲示板等の表示部に所定の情報を表示させる。そして、この表示部の情報を見た通信端末装置のユーザは、自分に対して発呼があったことを把握することができる。また、表示部に所定の情報を表示させるに際しては、通信端末装置は動作せずに基地局装置のみが動作しているため、通信端末装置には負担がかからない。
【００１１】
さらに、本発明の他の音楽再生方法は、通信端末装置が発着信する電波を中継する基地局装置を通じて通信端末装置が音楽データをダウンロードしながら音楽を再生する音楽再生方法において、音楽を再生している前記通信端末装置に対して発呼があった場合、前記基地局装置は、前記通信端末装置に着信信号を送信する動作を行わずに、発呼した端末と音声記憶装置とを回線接続し、前記通信端末装置による前記音楽の再生が終了したかを検知し、音楽の再生が終了した後、前記通話端末装置に録音メッセージがある旨を表示させることを特徴とする。
【００１２】
本発明の音楽再生方法によれば、音楽データをダウンロードして再生している通信端末装置に発呼があった場合に、音楽データのダウンロード中であることを把握した基地局装置が、発呼した端末と音声記憶装置とを回線接続する。そして、音声記憶装置に録音されたメッセージを聞くことで、発呼された通信端末装置のユーザは自分に対して発呼があったことを把握することができる。また、発呼した端末と音声記憶装置とを回線接続するに際しては、通信端末装置は動作せずに基地局装置のみが動作しているため、通信端末装置には負担がかからない。
【００１３】
【発明の実施の形態】
以下、添付図面を参照して、本発明に係る移動通信システムおよび音楽再生方法の好適な実施形態について詳細に説明する。尚、同一要素には同一符号を用いるものとし、重複する説明は省略する。
【００１４】
［第１実施形態］
図１は、ＰＨＳ１によって音楽を再生するためのシステムを示す図であり、当該システムには、本実施形態の移動通信システム１０が組み込まれている。移動通信システム１０は、ＰＨＳの通話を確立するためのシステムであり、交換局２０と、これに信号の送受信可能に接続された複数台の基地局装置３０と、通信システムの加入者情報及び各ＰＨＳの位置情報を記憶するHLR（ホームロケーションレジスタ）４０と、を備えている。
【００１５】
基地局装置３０は、ＰＨＳ１が発着信する電波を中継するものであり、制御部３２及び各種信号の送受信を担う送受信器３４を備えている。送受信器３４は、ＰＨＳ１との信号の送受信に限られず、電光掲示板（表示部）７０の送受信器（図示略）との間でも信号の送受信を行う。送受信器３４は、後述の条件下で、ＰＨＳ１から最も近い位置にある電光掲示板７０に対して所定の情報を表示させる信号を送信する。ここでは、電光掲示板７０は高層ビルに設けられた大型テレビ画面とされているが、これに限られるものではない。例えば、交通情報を表示するディスプレイや、天気予報を表示するディスプレイなどを利用してもよい。また、本実施形態で用いる専用の表示部を任意の箇所に設置してもよい。
【００１６】
また、ＰＨＳ１は、Webサーバ５０に格納された音楽データをダウンロードしながら、音楽を再生できる機能を有している。Webサーバ５０の音楽データは、インターネット等のネットワーク６０、交換局２０、及び、基地局装置３０を通じて、ＰＨＳ１にダウンロードされる。基地局装置３０の制御部３２は、ＰＨＳ１が音楽データをダウンロードしていることを検知することができる。尚、音楽を聴くに際しては、通常ＰＨＳ１にヘッドホンが装着される。
【００１７】
以上が、本実施形態の移動通信システム１０の構成である。次に、図２の動作シーケンスを参照して、本実施形態の音楽再生方法を説明する。
【００１８】
図２は、ＰＨＳ１を利用している着呼者が音楽を再生している最中に、ＰＨＳ２（図１参照）を利用している発呼者から電話がかかってきた際の動作シーケンスを示している。
【００１９】
まず、ＰＨＳ１の電源を入れると、位置登録が行われる（ステップ２０１，３０１）。ＰＨＳ１の位置情報は、基地局装置３０を通じて得られた情報に基づいて、交換局２０がHLR４０に格納する。そして、ステップ３０２では、ＰＨＳ１のユーザは、Webサーバ５０から音楽データをダウンロードすると同時に音楽を再生する。この際、Webサーバ５０に格納されていた音楽データは、ネットワーク６０、交換局２０、及び、基地局装置３０を経由してＰＨＳ１にダウンロードされるため、基地局装置３０の制御部３２は、ＰＨＳ１に音楽データがダウンロードされていることを検知することができる（ステップ２０２）。
【００２０】
そして、このようにＰＨＳ１にて音楽データのダウンロード及び音楽再生が行われている最中にＰＨＳ２のユーザがＰＨＳ１に対して発呼すると（ステップ１０１）、交換局２０は、基地局装置３０の送受信器３４を通じて、ＰＨＳ１に着呼信号を送信する（ステップ２０３）。この際、ＰＨＳ１では、呼出信号を鳴らしたり、バイブレータを振動させる等の、着信を報知する動作は行わない。
【００２１】
次いで、基地局装置３０の制御部３２は、ステップ２０１でHLR４０に格納された位置情報に基づいて、ＰＨＳ１の現在の位置に最も近い電光掲示板（表示部）を選択決定する（ステップ２０４）。さらに、基地局装置３０の制御部３２は、送受信器３４を介して選択した電光掲示板７０に対し表示信号を送出する（ステップ２０５）。この表示信号には、ＰＨＳ１のユーザを特定するための情報が含まれている。本実施形態では、ＰＨＳ網に加入する際に各ユーザに定められるユーザＩＤを用いる。このユーザＩＤは、HLR４０に加入者情報として格納されている。
【００２２】
基地局装置３０から表示信号を受信した電光掲示板７０は、ユーザＩＤ及びそのユーザに対して発呼があった旨を表示する（ステップ４０１）。具体的には、例えば図１に示すように、「ＸＹＺ様  発呼がありました」と表示する。ここで、ＸＹＺはＰＨＳ１のユーザのユーザＩＤである。
【００２３】
そして、電光掲示板７０の表示を見たＰＨＳ１のユーザは、自己のＰＨＳ１に対して発呼があったことを把握することができる。ＰＨＳ１のユーザは、通話の意思がある場合は通話キーを押し、発呼者と通話をすることができる（ステップ３０３，１０２）。
【００２４】
発呼者（ＰＨＳ２）と着呼者（ＰＨＳ１）が通話状態になったことを把握した基地局装置３０の制御部３２は、送受信器３４を通じて電光掲示板７０に消灯信号を送信する（ステップ２０６）。消灯信号を受信した電光掲示板７０は、ユーザＩＤ及び発呼があった旨の表示を消灯する（ステップ４０２）。
【００２５】
以上のように、本実施形態では、音楽データをダウンロードして再生しているＰＨＳ１に発呼があった場合に、音楽データのダウンロード中であることを把握した基地局装置３０が、電光掲示板７０にユーザＩＤ及び発呼があった旨を表示させる。そして、この電光掲示板７０の情報を見たＰＨＳ１のユーザは、自分に対して発呼があったことを把握することができる。特に、電光掲示板７０はＰＨＳ１の所在地から最も近い場所にあるものとされているため、ユーザは、電光掲示板７０の表示を見つけ易い。また、電光掲示板７０にユーザＩＤ等を表示させるに際しては、ＰＨＳ１は動作せずに基地局装置３０のみが動作しているため、ＰＨＳ１には負担がかからない。
【００２６】
尚、本実施形態において、電光掲示板７０にユーザＩＤ等を表示させた後に、ＰＨＳ１の通話キーを押すことで発呼者との通話が可能となるが、音楽データをダウンロード中のＰＨＳに対して発呼があった場合は、発呼者の回線を強制的に切断し、電光掲示板７０に発呼者の電話番号及び着呼者のユーザＩＤ等を表示させてもよい。この場合は、着呼者が通話を望む場合は、自らが発呼者に電話をかけ直すことになる。
【００２７】
［第２実施形態］
次に、図３及び図４を参照して、本発明の第２実施形態を説明する。本実施形態が第１実施形態と異なるのは、音楽データをダウンロード中のＰＨＳ１に対して発呼があった場合に、電光掲示板にユーザＩＤ等を表示させるのではなく、音声記憶装置に発呼者のメッセージを録音させる点にある。これを実現するために、図３に示すように本実施形態の移動通信システム１０においては、交換局２０に音声記憶装置としての留守番電話サービスセンタ８０が接続されている。
【００２８】
次に、図４の動作シーケンスを参照して、本実施形態の音楽再生方法を説明する。まず、ＰＨＳ１の電源を入れると、位置登録が行われる（ステップ２０１，３０１）。ＰＨＳ１の位置情報は、基地局装置３０を通じて得られた情報に基づいて、交換局２０がHLR４０に格納する。そして、ステップ３０２では、ＰＨＳ１のユーザは、Webサーバ５０から音楽データをダウンロードすると同時に音楽を再生する。この際、Webサーバ５０に格納されていた音楽データは、ネットワーク６０、交換局２０、及び、基地局装置３０を経由してＰＨＳ１にダウンロードされるため、基地局装置３０の制御部３２は、ＰＨＳ１に音楽データがダウンロードされていることを検知することができる（ステップ２０２）。
【００２９】
そして、このようにＰＨＳ１にて音楽データのダウンロード及び音楽再生が行われている最中にＰＨＳ２のユーザがＰＨＳ１に対して発呼すると（ステップ１０１）、交換局２０は、発呼者のＰＨＳ２と留守番電話サービスセンタとを回線接続する（ステップ２０３）。回線が接続されると、留守番電話サービスセンタ８０は、発呼者たるＰＨＳ２に対してメッセージの録音を促すガイダンスを流す（ステップ４０１）。ガイダンスを聞いた発呼者が音声メッセージを告げると（ステップ１０２）、これは留守番電話サービスセンタ８０に記憶される（ステップ４０２）。メッセージの録音を終えた発呼者が電話を切ると、ＰＨＳ２、基地局装置３０、及び、留守番電話サービスセンタ８０の３者間で回線切断処理が行われる（ステップ１０３，２０４，４０３）。尚、以上のようなメッセージ録音処理が行われていることは、音楽再生中の着呼者には告げられない。
【００３０】
そして、着呼者（ＰＨＳ１）の音楽再生が終了し（ステップ３０３）、基地局装置３０の制御部３２がこれを検知すると（ステップ２０５）、基地局装置３０は、交換局２０を介して留守番電話サービスセンタ８０にメッセージ送出許可信号を送信する（ステップ２０６）。このメッセージ送出許可信号を受信した留守番電話サービスセンタ８０は、録音メッセージが有る場合は、預り信号を基地局装置３０に送信する（ステップ４０４）。さらに、基地局装置３０は、録音メッセージが有る旨の表示指令をＰＨＳ１に送信する（ステップ２０７）。
【００３１】
録音メッセージが有る旨の表示指令を受信したＰＨＳ１は、ディスプレイにメッセージ預り表示をする（ステップ３０４）。メッセージ預り表示として、例えば封筒のマークを表示させたり、録音メッセージを聞くための電話番号を表示させることができる。そして、メッセージ預り表示を見たユーザは、所定の電話番号に発信して、留守番電話サービスセンタ８０の録音メッセージを聞くことができる（ステップ３０５）。
【００３２】
以上のように、本実施形態では、音楽データをダウンロードして再生しているＰＨＳ１に発呼があった場合に、音楽データのダウンロード中であることを把握した基地局装置３０が発呼したＰＨＳ２と留守番電話サービスセンタ８０とを回線接続する。そして、留守番電話サービスセンタ８０に録音されたメッセージを聞くことで、ＰＨＳ１のユーザは自分に対して発呼があったことを把握することができる。また、発呼したＰＨＳ２と留守番電話サービスセンタ８０とを回線接続するに際しては、ＰＨＳ１は動作せずに基地局装置３０のみが動作しているため、ＰＨＳ１には負担がかからない。
【００３３】
以上、本発明者によってなされた発明を実施形態に基づき具体的に説明したが、本発明は上記各実施形態に限定されるものではない。例えば、通信端末装置はＰＨＳに限られず、携帯電話機、ＰＤＡ等でもよい。また、第１実施形態において、電光掲示板等の表示部に着呼端末の電話番号を表示させてもよい。
【００３４】
【発明の効果】
以上説明したように、本発明の移動通信システム及び音楽再生方法によれば、音楽再生中の通信端末装置に負担をかけることなく、受信側のユーザに発呼があったことを報知することができる。
【図面の簡単な説明】
【図１】第１実施形態の移動通信システムを示す構成図である。
【図２】第１実施形態の音楽再生方法を示す図である。
【図３】第２実施形態の移動通信システムを示す構成図である。
【図４】第２実施形態の音楽再生方法を示す図である。
【符号の説明】
１…ＰＨＳ（着呼側の通信端末装置）、２…ＰＨＳ（発呼側の通信端末装置）、１０…移動通信システム、２０…交換局、３０…基地局装置、３２…制御部、３４…送受信器、５０…Webサーバ、７０…電光掲示板（表示部）、８０…留守番電話サービスセンタ（音声記憶装置）。
【図１】
0004632074.tif 000002
【図２】
0004632074.tif 000003
【図３】
0004632074.tif 000004
【図４】
0004632074.tif 000005